(57)【特許請求の範囲】
【請求項１】
被写体を撮影して得られた画像を表示する画像処理装置と、前記画像処理装置と接続され、前記画像を印刷する画像印刷装置とからなる画像印刷システムにおいて、
前記画像処理装置は、
前記画像の画像データに付随された付随情報に基づいて、前記付随情報に関するOSD表示データを作成する作成手段と、
所定の位置の画素における前記OSD表示データの値が有効な値であるか否かを１画素毎に判定し、前記OSD表示データの値が有効な値であると判定した場合、所定の位置の画素の前記OSD表示データによる表示を制御し、前記OSD表示データの値が有効な値でないと判定した場合、所定の位置の画素の前記画像データによる表示を制御する表示制御手段と、
前記画像の印刷が指示されたとき、所定の位置の画素における前記OSD表示データの値が有効な値であるか否かを１画素毎に判定し、前記OSD表示データの値が有効な値であると判定した場合、前記画像データにおける所定の位置の画素に前記OSD表示データを書き込み、前記OSD表示データの値が有効な値でないと判定した場合、前記画像データにおける所定の位置の画素をそのままとした画像イメージを作成する書き込み手段と、
前記画像イメージを前記画像印刷装置に送信する送信手段と
を備え、
前記画像印刷装置は、
前記画像処理装置からの前記画像イメージを印刷する印刷手段を備える
ことを特徴とする画像印刷システム。
【請求項２】
被写体を撮影して得られた画像を表示する画像処理装置において、
前記画像の画像データに付随された付随情報に基づいて、前記付随情報に関するOSD表示データを作成する作成手段と、
所定の位置の画素における前記OSD表示データの値が有効な値であるか否かを１画素毎に判定し、前記OSD表示データの値が有効な値であると判定した場合、所定の位置の画素の前記OSD表示データによる表示を制御し、前記OSD表示データの値が有効な値でないと判定した場合、所定の位置の画素の前記画像データによる表示を制御する表示制御手段と、
前記画像の印刷が指示されたとき、所定の位置の画素における前記OSD表示データの値が有効な値であるか否かを１画素毎に判定し、前記OSD表示データの値が有効な値であると判定した場合、前記画像データにおける所定の位置の画素に前記OSD表示データを書き込み、前記OSD表示データの値が有効な値でないと判定した場合、前記画像データにおける所定の位置の画素をそのままとした画像イメージを作成する書き込み手段と、
前記画像イメージを画像印刷装置に送信する送信手段と
を備えることを特徴とする画像処理装置。
【請求項３】
前記付随情報は、撮影時の設定状態情報、または輝度情報のうち少なくとも１つを含む
ことを特徴とする請求項２に記載の画像処理装置。
【請求項４】
被写体を撮影して得られた画像を表示する画像処理装置の画像処理方法において、
前記画像の画像データに付随された付随情報に基づいて、前記付随情報に関するOSD表示データを作成する作成ステップと、
所定の位置の画素における前記OSD表示データの値が有効な値であるか否かを１画素毎に判定し、前記OSD表示データの値が有効な値であると判定した場合、所定の位置の画素の前記OSD表示データによる表示を制御し、前記OSD表示データの値が有効な値でないと判定した場合、所定の位置の画素の前記画像データによる表示を制御する表示制御ステップと、
前記画像の印刷が指示されたとき、所定の位置の画素における前記OSD表示データの値が有効な値であるか否かを１画素毎に判定し、前記OSD表示データの値が有効な値であると判定した場合、前記画像データにおける所定の位置の画素に前記OSD表示データを書き込み、前記OSD表示データの値が有効な値でないと判定した場合、前記画像データにおける所定の位置の画素をそのままとした画像イメージを作成する書き込みステップと、
前記画像イメージを画像印刷装置に送信する送信ステップと
を含むことを特徴とする画像処理方法。
【請求項５】
被写体を撮影して得られた画像を表示する画像処理装置として、コンピュータを機能させるプログラムにおいて、
前記画像の画像データに付随された付随情報に基づいて、前記付随情報に関するOSD表示データを作成する作成ステップと、
所定の位置の画素における前記OSD表示データの値が有効な値であるか否かを１画素毎に判定し、前記OSD表示データの値が有効な値であると判定した場合、所定の位置の画素の前記OSD表示データによる表示を制御し、前記OSD表示データの値が有効な値でないと判定した場合、所定の位置の画素の前記画像データによる表示を制御する表示制御ステップと、
前記画像の印刷が指示されたとき、所定の位置の画素における前記OSD表示データの値が有効な値であるか否かを１画素毎に判定し、前記OSD表示データの値が有効な値であると判定した場合、前記画像データにおける所定の位置の画素に前記OSD表示データを書き込み、前記OSD表示データの値が有効な値でないと判定した場合、前記画像データにおける所定の位置の画素をそのままとした画像イメージを作成する書き込みステップと、
前記画像イメージの画像印刷装置への送信を制御する送信制御ステップと
を含むことを特徴とするコンピュータが読み取り可能なプログラムが記録されている記録媒体。
【請求項６】
被写体を撮影して得られた画像を表示する画像処理装置として、コンピュータを機能させるプログラムにおいて、
前記画像の画像データに付随された付随情報に基づいて、前記付随情報に関するOSD表示データを作成する作成ステップと、
所定の位置の画素における前記OSD表示データの値が有効な値であるか否かを１画素毎に判定し、前記OSD表示データの値が有効な値であると判定した場合、所定の位置の画素の前記OSD表示データによる表示を制御し、前記OSD表示データの値が有効な値でないと判定した場合、所定の位置の画素の前記画像データによる表示を制御する表示制御ステップと、
前記画像の印刷が指示されたとき、所定の位置の画素における前記OSD表示データの値が有効な値であるか否かを１画素毎に判定し、前記OSD表示データの値が有効な値であると判定した場合、前記画像データにおける所定の位置の画素に前記OSD表示データを書き込み、前記OSD表示データの値が有効な値でないと判定した場合、前記画像データにおける所定の位置の画素をそのままとした画像イメージを作成する書き込みステップと、
前記画像イメージの画像印刷装置への送信を制御する送信制御ステップと
を含むことを特徴とするコンピュータが読み取り可能なプログラム。
【発明の詳細な説明】
【０００１】
【発明の属する技術分野】
本発明は、画像印刷システム、画像処理装置および方法、並びに、記録媒体に関し、特に、例えば、デジタルスチルカメラで撮影された画像とともに、その画像に関する付随情報を印刷するようにした画像印刷システム、画像処理装置および方法、並びに、記録媒体に関する。
【０００２】
【従来の技術】
従来、デジタルスチルカメラでは、被写体の画像だけなく、例えば、その画像の撮影時の設定状態情報や輝度情報などを読み出し、画像とともに表示させることができる。
【０００３】
また、例えば、デジタルスチルカメラとプリンタを、ケーブルを介して接続し、撮影された画像とともに、設定状態情報や輝度情報などを印刷することが行われている（特許文献１参照）。
【０００４】
【特許文献１】
特開平１１−１４６３１１号公報
【０００５】
【発明が解決しようとする課題】
しかしながら、特許文献１に開示されている技術では、設定状態情報や輝度情報が、画像上の任意の位置に配置されてしまい、ユーザが望む印刷結果とは異なる課題があった。
【０００６】
本発明はこのような状況に鑑みてなされたものであり、画像とともに設定状態情報や輝度情報を印刷する場合、表示状態がそのまま印刷結果となるようにするものである。
【０００７】
【課題を解決するための手段】
本発明の画像印刷システムは、画像処理装置が、画像に付随された付随情報に基づいて、付随情報に関するOSD表示データを作成し、所定の位置の画素におけるOSD表示データの値が有効な値であるか否かを１画素毎に判定し、OSD表示データの値が有効な値であると判定した場合、所定の位置の画素のOSD表示データによる表示を制御し、OSD表示データの値が有効な値でないと判定した場合、所定の位置の画素の画像データによる表示を制御し、画像の印刷が指示されたとき、所定の位置の画素におけるOSD表示データの値が有効な値であるか否かを１画素毎に判定し、OSD表示データの値が有効な値であると判定した場合、画像データにおける所定の位置の画素にOSD表示データを書き込み、OSD表示データの値が有効な値でないと判定した場合、画像データにおける所定の位置の画素をそのままとした画像イメージを作成し、画像イメージを画像印刷装置に送信し、画像印刷装置が、画像処理装置からの画像イメージを印刷することを特徴とする。
本発明の画像処理装置は、画像の画像データに付随された付随情報に基づいて、前記付随情報に関するOSD表示データを作成する作成手段と、所定の位置の画素におけるOSD表示データの値が有効な値であるか否かを１画素毎に判定し、OSD表示データの値が有効な値であると判定した場合、所定の位置の画素のOSD表示データによる表示を制御し、OSD表示データの値が有効な値でないと判定した場合、所定の位置の画素の画像データによる表示を制御する表示制御手段と、画像の印刷が指示されたとき、所定の位置の画素におけるOSD表示データの値が有効な値であるか否かを１画素毎に判定し、OSD表示データの値が有効な値であると判定した場合、画像データにおける所定の位置の画素にOSD表示データを書き込み、OSD表示データの値が有効な値でないと判定した場合、画像データにおける所定の位置の画素をそのままとした画像イメージを作成する書き込み手段と、画像イメージを画像印刷装置に送信する送信手段とを備えることを特徴とする。
【００１０】
前記付随情報は、撮影時の設定状態情報、または輝度情報のうち少なくとも１つを含むようにすることができる。
【００１１】
本発明の画像処理方法は、画像の画像データに付随された付随情報に基づいて、付随情報に関するOSD表示データを作成する作成ステップと、所定の位置の画素におけるOSD表示データの値が有効な値であるか否かを１画素毎に判定し、OSD表示データの値が有効な値であると判定した場合、所定の位置の画素のOSD表示データによる表示を制御し、OSD表示データの値が有効な値でないと判定した場合、所定の位置の画素の画像データによる表示を制御する表示制御ステップと、画像の印刷が指示されたとき、所定の位置の画素におけるOSD表示データの値が有効な値であるか否かを１画素毎に判定し、OSD表示データの値が有効な値であると判定した場合、画像データにおける所定の位置の画素にOSD表示データを書き込み、OSD表示データの値が有効な値でないと判定した場合、画像データにおける所定の位置の画素をそのままとした画像イメージを作成する書き込みステップと、画像イメージを画像印刷装置に送信する送信ステップとを含むことを特徴とする。
【００１２】
本発明の記録媒体に記録されているプログラムは、画像の画像データに付随された付随情報に基づいて、付随情報に関するOSD表示データを作成する作成ステップと、所定の位置の画素におけるOSD表示データの値が有効な値であるか否かを１画素毎に判定し、OSD表示データの値が有効な値であると判定した場合、所定の位置の画素のOSD表示データによる表示を制御し、OSD表示データの値が有効な値でないと判定した場合、所定の位置の画素の画像データによる表示を制御する表示制御ステップと、画像の印刷が指示されたとき、所定の位置の画素におけるOSD表示データの値が有効な値であるか否かを１画素毎に判定し、OSD表示データの値が有効な値であると判定した場合、画像データにおける所定の位置の画素にOSD表示データを書き込み、OSD表示データの値が有効な値でないと判定した場合、画像データにおける所定の位置の画素をそのままとした画像イメージを作成する書き込みステップと、画像イメージの画像印刷装置への送信を制御する送信制御ステップとを含むことを特徴とする。
【００１３】
第１の本発明においては、画像処理装置で、画像の画像データに付随された付随情報に基づいて、付随情報に関するOSD表示データが作成され、所定の位置の画素におけるOSD表示データの値が有効な値であるか否かが１画素毎に判定され、OSD表示データの値が有効な値であると判定された場合、所定の位置の画素のOSD表示データによる表示が制御され、OSD表示データの値が有効な値でないと判定された場合、所定の位置の画素の画像データによる表示が制御され、画像の印刷が指示されたとき、所定の位置の画素におけるOSD表示データの値が有効な値であるか否かが１画素毎に判定され、OSD表示データの値が有効な値であると判定された場合、画像データにおける所定の位置の画素にOSD表示データが書き込まれ、OSD表示データの値が有効な値でないと判定された場合、画像データにおける所定の位置の画素がそのままとされた画像イメージが作成され、画像イメージが画像印刷装置に送信される。画像印刷装置では、画像処理装置からの画像イメージが印刷される。
【００１４】
第２の本発明においては、画像の画像データに付随された付随情報に基づいて、付随情報に関するOSD表示データが作成され、所定の位置の画素におけるOSD表示データの値が有効な値であるか否かが１画素毎に判定され、OSD表示データの値が有効な値であると判定された場合、所定の位置の画素のOSD表示データによる表示が制御され、OSD表示データの値が有効な値でないと判定された場合、所定の位置の画素の画像データによる表示が制御され、画像の印刷が指示されたとき、所定の位置の画素におけるOSD表示データの値が有効な値であるか否かが１画素毎に判定され、OSD表示データの値が有効な値であると判定された場合、画像データにおける所定の位置の画素にOSD表示データが書き込まれ、OSD表示データの値が有効な値でないと判定された場合、画像データにおける所定の位置の画素がそのままとされた画像イメージが作成され、画像イメージが画像印刷装置に送信される。
【００１５】
【発明の実施の形態】
以下、図を参照して、本発明の実施の形態について説明する。
【００１６】
図１は、本発明を適用した自動印刷システムの構成例を示す図である。このシステムにおいては、デジタルスチルカメラ１が、IEEE（Institute of Electrical and Electronics Engineers）1394やUSB（Universal Serial Bus）などのケーブル２を介してプリンタ３に接続されている。
【００１７】
デジタルスチルカメラ１は、被写体を撮像し、被写体の画像をLCD（Liquid Crystal Display）１６（図２）に表示させたり、それを画像データとして、記録メディア３３（図２）に記録する。プリンタ３は、ケーブル２を介してデジタルスチルカメラ１から供給された画像データの印刷を行なう。
【００１８】
デジタルスチルカメラ１とプリンタ３が、ケーブル２を介して相互に接続されたとき、互いの機器がDPS（ダイレクトプリントサービス）機能を有するか否かのネゴシエーションが行なわれ、互いにDPS機能を有する電子機器であると確認されると、通信可能になされる。
【００１９】
ここで、DPS規格とは、デジタルスチルカメラとプリンタをダイレクトに接続して、簡単に印刷することができるようにするためのアプリケーションレベルの規格であり、物理インターフェースやトランスポート層に依存しないため、他のトランスポート層への拡張が可能である。
【００２０】
また、このDPS規格の特徴としては、ユーザによる簡単な操作で、画像のプリントを実現することができるとともに、メーカおよび機種によらず相互に接続された、DPS規格を搭載した機器間でのプリントが可能である。
【００２１】
なお、デジタルスチルカメラ１とプリンタ３を、ケーブル２の有線で接続して通信させる他、IEEE802.11a,802.11bなどのいわゆる無線LANやBluetooth（登録商標）などで通信させるようにしてもよい。
【００２２】
図２は、デジタルスチルカメラ１の電気的構成例を示す図である。
【００２３】
レンズブロック１１は、光（すなわち、被写体の映像）を、CCD（Charge Coupled Devices）１２に入射させる。CCD１２は、受光した光の強度を電気信号に変換し、カメラ信号処理部１３に出力する。
【００２４】
カメラ信号処理部１３は、CCD１２から入力された電気信号を、Ｙ，Ｃｒ，Ｃｂの色差信号に変換し、画像信号処理部１４に出力する。画像信号処理部１４は、コントローラ２１の制御の下、カメラ信号処理部１３から入力された画像信号を、バス１７を介してDRAM（Dynamic Random Access Memory）１８に供給し、そこに一時的に記憶させる。また画像信号処理部１４は、コントローラ２１によってLCD１６の画像サイズに変更された画像信号をDRAM１８から読み出し、それに、オンスクリーンディスプレイ（OSD）２０から入力されたデータを重畳して、RGBデコーダ１５に出力する。
【００２５】
RGBデコーダ１５は、画像信号処理部１４から入力された画像信号をRGB信号に変換し、LCD１６に出力する。LCD１６は、RGBデコーダ１５から入力されたRGB信号に対応する画像を表示する。
【００２６】
DRAM１８は、記憶するデータの種類によって記憶領域が分けられており、ここでは、DISPLAYエリア１８ＡとOSDエリア１８Ｂが設けられている。DISPLAYエリア１８Ａは、画像データを記憶するものであって、画像の左上隅の画素から順に、１画素毎の色データを記憶する。OSDエリア１８Ｂは、オンスクリーンディスプレイ２０から供給される、記号、文字、または図形などのOSD表示データを記憶するものであって、画像の左上隅の画素から順に、１画素毎の色データを記憶する。なお、OSD表示データにおいて、色データの値が０の画素は、何も表示を行わないことを示す。
【００２７】
オンスクリーンディスプレイ２０は、コントローラ２１の制御の下、記号、文字、または図形からなるメニュー画面やアイコンなどのデータを、バス１７を介して画像信号処理部１４に出力する。
【００２８】
コントローラ２１は、ユーザが操作部２２を用いて指令した内容を示す信号に基づいて、各種処理を実行するとともに、バス１７を介して、画像信号処理部１４、DRAM１８、外部インターフェース１９、オンスクリーンディスプレイ２０、およびメディアドライブ２３を制御する。FLASH ROM２４には、コントローラ２１が各種処理を実行する上で必要なプログラムが格納されている。
【００２９】
またコントローラ２１は、操作部２２のシャッタボタンが操作された場合、画像信号処理部１４を制御し、画面１枚分の画像信号をDRAM１８に取り込ませる。そして、コントローラ２１は、DRAM１８に取り込まれた画像信号を、JPEG（Joint Photographic Experts Group）方式などの圧縮形式で圧縮し、DRAM１８の他のアドレスに格納させるとともに、ファイルヘッダなどを付加し、JPEGファイルとしてストリームに成形させる。
【００３０】
なお、画像信号の圧縮形式は、JPEG形式に限らず、例えば、TIFF（Tagged Image File Format）形式やMPEG（Moving Picture Experts Group）形式、あるいは、その他各種フォーマットなどでもよい。
【００３１】
さらにまたコントローラ２１は、操作部２２から画像印刷の開始が指示された場合、DRAM１８から画像データを読み出し、バス１７を介して外部インターフェース１９に接続されたプリンタ３に送信する。
【００３２】
記録メディア３３は、例えば、半導体メモリなどで構成され、その内部には、電気的に書き換えや消去が可能な不揮発性メモリが格納されており、画像や音声等の各種データの書き込み、および読み出しが可能になされている。この記録メディア３３は、DRAM１８に一時的に記憶されているデータ（画像ファイル）を永続的に保存するために、あるいは、保存されているデータを読み出すために、必要に応じてメディアドライブ２３に挿入される。
【００３３】
外部インターフェース１９は、例えば、USB入出力端子などで構成され、画像の印刷を行なう場合に、プリンタ３と接続される。外部インターフェース１９にはまた、必要に応じてドライブ３１が接続され、磁気ディスク、光ディスク、あるいは光磁気ディスクなどのリムーバブルメディア３２が適宜装着され、それらから読み出されたコンピュータプログラムが、必要に応じて、FLASH ROM２４にインストールされる。
【００３４】
図３は、DRAM１８に格納される画像ファイルの形式を示す図である。同図に示されるように、画像ファイル内のヘッダ部分に、Exif（Exchange Image File）情報が設けられ、続いて、画像データが配置されている。Exif情報には、例えば、絞り値、シャッタスピード、EV補正値、ISO感度、ストロボ発光、および、測光方式などの撮影時の設定状態情報が示される。
【００３５】
このように、DRAM１８に格納される画像ファイルは、画像データにExif情報が付随された構造となっているため、その詳細は後述するが、画像データとともに、Exif情報を表示させることができる。
【００３６】
次に、デジタルスチルカメラ１の基本的動作について説明する。
【００３７】
レンズブロック１１で取り込まれた光（被写体の映像）は、CCD１２に入射され、そこで電気信号に変換される。変換された電気信号は、カメラ信号処理部１３でＹ，Ｃｒ，Ｃｂの色差信号に変換され、画像信号処理部１４およびバス１７を介してDRAM１８に展開され、そこに一時的に記憶される。
【００３８】
DRAM１８に一時的に記憶された画像信号は、コントローラ２１によって、LCD１６に表示させるための画像サイズに変更され、再び、DRAM１８の他のアドレスに記憶される。そして、この画像信号が画像信号処理部１４によって読み出され、RGBデコーダ１５に出力され、RGB信号に変換された後、LCD１６に出力される。これにより、LCD１６には、被写体の画像がリアルタイムで表示される（すなわち、モニタリング画像が表示される）。
【００３９】
例えば、ユーザが、所定のタイミングで、操作部２２のシャッタボタンを操作すると、コントローラ２１は、DRAM１８に一時的に記憶されている画像信号を読み出し、JPEG方式で圧縮した後、DRAM１８の他のアドレスに格納させるとともに、格納された画像信号にファイルヘッダなどを付加し、JPEGファイルとしてストリームに成形させる。コントローラ２１は、このJPEGファイルを読み出し、バス１７を介してメディアドライブ２３に挿入された記録メディア３３に転送し、そこに永続的に保存させる。
【００４０】
このようにして、１枚の画像が１個の画像データとして、記録メディア３３に記録される。
【００４１】
例えば、ユーザが、操作部２２を操作して、記録メディア３３に保存されている画像の再生（表示）を指示すると、コントローラ２１は、記録メディア３３に保存されている画像ファイルを、バス１７を介してDRAM１８に転送し、そこからデータを取り込みながら圧縮されたファイルを伸張し、DRAM１８の他のアドレスに記憶させる。伸張処理終了後、コントローラ２１は、画像信号処理部１４を制御し、DRAM１８に記憶されている画像データを読み出させる。画像信号処理部１４は、読み出した画像データに、オンスクリーンディスプレイ２０から入力されたデータを重畳し、RGBデコーダ１５を介してLCD１６に出力する。
【００４２】
このようにして、記録メディア３３に保存されている画像データがLCD１６に表示される。
【００４３】
また、上述したようにして画像を再生するにあたり、コントローラ２１は、画像に付随されているExif情報などの撮影時の設定状態情報や、伸張処理後の画像データを画像信号処理部１４に読み出させる際に得られる画像データの輝度情報を、オンスクリーンディスプレイ２０に供給し、そこで、Exif情報に関するOSD表示データや、輝度情報を元にしたヒストグラムに関するOSD表示データを作成させる。
【００４４】
これにより、例えば、図４に示されるように、LCD１６には、画像データ５１とともに、Exif情報やヒストグラムなどのOSD表示データ５２が表示される。同図においては、Exif情報として、絞り値「F2.0」、EV補正値「500＋0.3EV」、およびISO感度「ISO100」が表示されている。
【００４５】
次に、図５のフローチャートを参照して、画像の再生および印刷処理について説明する。なお、この処理は、ユーザにより操作部２２が操作され、画像の再生が指示された場合に開始される。
【００４６】
ステップＳ１において、コントローラ２１は、メディアドライブ２３に挿入された記録メディア３３から、圧縮された画像データを、バス１７を介してDRAM１８に転送し、そこに一時的に記憶させる。ステップＳ２において、コントローラ２１は、DRAM１８に一時的に記憶された画像データを取り込みながら伸張する。ステップＳ３において、コントローラ２１は、ステップＳ２の処理で伸張された画像データをDRAM１８のDISPLAYエリア１８Ａに転送し、そこに記憶させる。
【００４７】
ステップＳ４において、コントローラ２１は、画像信号処理部１４を制御し、DRAM１８のDISPLAYエリア１８Ａに記憶されている画像データを読み出させ、RGBデコーダ１５を介してLCD１６に出力させる。これにより、例えば、図６Ａに示されるような画像データ５１がLCD１６に表示される。
【００４８】
ステップＳ５において、コントローラ２１は、記録メディア３３から取得し、LCD１６に表示させた画像データにExif情報が存在するか否かを判定し、Exif情報が存在すると判定した場合、ステップＳ６に進み、画像データに付随されているExif情報を取得する。
【００４９】
ステップＳ７において、コントローラ２１は、ステップＳ６の処理で取得したExif情報をオンスクリーンディスプレイ２０に供給する。オンスクリーンディスプレイ２０は、表示仕様（表示位置、表示桁数、および色など）に基づいて、Exif情報に関するOSD表示データを作成する。
【００５０】
これにより、図６Ｂに示されるようなOSD表示データ５２のうち、Exif情報に関する、絞り値「F2.0」、EV補正値「500＋0.3EV」、およびISO感度「ISO100」のOSD表示データが作成される。
【００５１】
ステップＳ８において、オンスクリーンディスプレイ２０は、コントローラ２１の制御の下、ステップＳ７の処理で作成されたOSD表示データをDRAM１８のOSDエリア１８Ｂに転送し、そこに記憶させる。
【００５２】
ステップＳ５において、画像データにExif情報が存在しないと判定された場合、処理は、ステップＳ９に進む。
【００５３】
ステップＳ９において、コントローラ２１は、LCD１６に表示させた画像データに輝度情報が存在するか否か、すなわち、ステップＳ４の処理において、画像信号処理部１４に画像データを読み出させる際に輝度情報が得られたか否かを判定する。
【００５４】
ステップＳ９において、画像データに輝度情報が存在すると判定された場合、ステップＳ１０に進み、コントローラ２１は、その画像データの輝度情報を取得する。ステップＳ１１において、コントローラ２１は、ステップＳ１０の処理で取得した輝度情報をオンスクリーンディスプレイ２０に供給する。オンスクリーンディスプレイ２０は、表示仕様（表示位置、表示桁数、および色など）に基づいて、輝度情報に関するOSD表示データを作成する。
【００５５】
これにより、図６Ｂに示されるようなOSD表示データ５２のうち、輝度情報を元にしたヒストグラムのOSD表示データが作成される。
【００５６】
そして、オンスクリーンディスプレイ２０は、コントローラ２１の制御の下、作成したOSD表示データをDRAM１８のOSDエリア１８Ｂに転送し、そこに記憶させる。
【００５７】
ステップＳ９において、画像データに輝度情報が存在しないと判定された場合、処理は、ステップＳ１２に進む。
【００５８】
ステップＳ１２において、コントローラ２１は、画像信号処理部１４を制御し、OSDエリア１８Ｂに記憶されているOSD表示データを読み出させ、重ね合わせ表示処理を実行させる。
【００５９】
ここで、図７を参照して、画像信号処理部１４が実行する、重ね合わせ表示処理の詳細について説明する。なお、説明を分かりやすくするため、横方向ｍ番目、縦方向ｎ番目の画素を、（ｍ，ｎ）の画素と記載する。
【００６０】
ステップＳ３１において、画像信号処理部１４は、変数ｍおよび変数ｎを１にセットする。ステップＳ３２において、画像信号処理部１４は、DRAM１８のOSDエリア１８Ｂ内における画像の（ｍ，ｎ）の画素に、OSD表示データが存在するか否か、すなわち、OSD表示データの値が０以外の有効な値であるか否かを判定する。
【００６１】
ステップＳ３２において、OSDエリア１８Ｂ内における画像の（ｍ，ｎ）の画素にOSD表示データが存在する、すなわち、OSD表示データの値が０以外の有効な値であると判定された場合、ステップＳ３３に進み、画像信号処理部１４は、OSDエリア１８Ｂ内における画像の（ｍ，ｎ）の画素にあるOSD表示データを、RGBデコーダ１５を介してLCD１６に出力し、そこに表示させる。
【００６２】
ステップＳ３２において、OSDエリア１８Ｂ内における画像の（ｍ，ｎ）の画素にOSD表示データが存在しない、すなわち、OSD表示データの値が０であると判定された場合、ステップＳ３４に進み、画像信号処理部１４は、DISPLAYエリア１８Ａ内における画像の（ｍ，ｎ）の画素にある画像データを、RGBデコーダ１５を介してLCD１６に出力し、そこに表示させる。
【００６３】
ステップＳ３５において、画像信号処理部１４は、変数ｍが最大値Ｍ（横方向の最終画素）であるか否かを判定し、変数ｍが最大値Ｍではないと判定した場合、ステップＳ３６に進み、変数ｍを１だけインクリメントし、ステップＳ３２に戻り、上述した処理を繰り返し実行する。
【００６４】
ステップＳ３５において、変数ｍが最大値Ｍであると判定された場合、ステップＳ３７に進み、画像信号処理部１４は、さらに変数ｎが最大値Ｎ（縦方向の最終画素）であるか否かを判定し、変数ｎが最大値Ｎではないと判定した場合、ステップＳ３８に進み、変数ｎを１だけインクリメントするとともに、変数ｍを１にリセットする。その後、処理は、ステップＳ３２に戻り、上述した処理が繰り返し実行される。
【００６５】
そして、ステップＳ３７において、変数ｎが最大値Ｎであると判定された場合、すなわち、DISPLAYエリア１８ＡとOSDエリア１８Ｂ内における全ての画素について、重ね合わせ処理が終了されると、図５のステップＳ１３にリターンする。
【００６６】
これにより、図６Ｃに示されるように、ユーザが再生指示した画像データ５１（図６Ａ）と、その画像データ５１のExif情報や輝度情報などのOSD表示データ５２（図６Ｂ）とが重ね合わせられて、LCD１６に表示される。
【００６７】
付言すれば、１画素毎に、OSD表示データの値が０であれば、DISPLAYエリア１８Ａの画像データを、OSD表示データの値が０でなければ（OSD表示データが有効な値であれば）、OSDエリア１８ＢのOSD表示データを、それぞれLCD１６に表示させることができる。
【００６８】
図５の説明に戻る。ステップＳ１３において、コントローラ２１は、ユーザにより操作部２２が操作され、画像の印刷が指示されたか否かを判定し、画像の印刷が指示されるまで待機する。
【００６９】
なお、ステップＳ１３の処理において、画像の印刷が指示されるまで、それ以降の処理は行わないものとして説明しているが、勿論、他の画像の再生が指示されることもある。この場合、ステップＳ１の処理に戻り、上述した処理が再び実行される。
【００７０】
ステップＳ１３において、画像の印刷が指示されたと判定された場合、ステップＳ１４に進み、コントローラ２１は、DISPLAYエリア１８Ａに記憶されている画像データと、OSDエリア１８Ｂに記憶されているOSD表示データとの重ね合わせ書き込み処理を実行する。
【００７１】
ここで、図８を参照して、コントローラ２１が実行する、重ね合わせ書き込み処理の詳細について説明する。なお、図７と同様に、横方向ｍ番目、縦方向ｎ番目の画素を、（ｍ，ｎ）の画素と記載する。
【００７２】
ステップＳ５１において、コントローラ２１は、変数ｍおよび変数ｎを１にセットする。ステップＳ５２において、コントローラ２１は、DRAM１８のOSDエリア１８Ｂ内における画像の（ｍ，ｎ）の画素に、OSD表示データが存在するか否か、OSD表示データの値が０以外の有効な値であるか否かを判定する。
【００７３】
ステップＳ５２においてし、OSDエリア１８Ｂ内における画像の（ｍ，ｎ）の画素にOSD表示データが存在する、すなわち、OSD表示データの値が０以外の有効な値であると判定された場合、ステップＳ５３に進み、コントローラ２１は、OSDエリア１８Ｂ内における画像の（ｍ，ｎ）の画素にあるOSD表示データを、DRAM１８のDISPLAYエリア１８Ａに転送し、DISPLAYエリア１８Ａにおける画像の（ｍ，ｎ）の画素に書き込ませる。
【００７４】
ステップＳ５２において、OSDエリア１８Ｂ内における画像の（ｍ，ｎ）の画素にOSD表示データが存在しない、すなわち、OSD表示データの値が０であると判定された場合、ステップＳ５４に進み、コントローラ２１は、DRAM１８のDISPLAYエリア１８Ａ内における画像の（ｍ，ｎ）の画素にある画像データをそのまま残させる。
【００７５】
ステップＳ５５において、コントローラ２１は、変数ｍが最大値Ｍ（横方向の最終画素）であるか否かを判定し、変数ｍが最大値Ｍではないと判定した場合、ステップＳ５６に進み、変数ｍを１だけインクリメントし、ステップＳ５２に戻り、上述した処理を繰り返し実行する。
【００７６】
ステップＳ５５において、変数ｍが最大値Ｍであると判定された場合、ステップＳ５７に進み、コントローラ２１は、さらに変数ｎが最大値Ｎ（縦方向の最終画素）であるか否かを判定し、変数ｎが最大値Ｎではないと判定した場合、ステップＳ５８に進み、変数ｎを１だけインクリメントするとともに、変数ｍを１にリセットする。その後、処理は、ステップＳ５２に戻り、上述した処理が繰り返し実行される。
【００７７】
そして、ステップＳ５７において、変数ｎが最大値Ｎであると判定された場合、すなわち、DISPLAYエリア１８ＡとOSDエリア１８Ｂ内における全ての画素について、重ね合わせ書き込み処理が終了されると、図５のステップＳ１５にリターンする。
【００７８】
このように、１画素毎に、OSD表示データの値が０であれば、DISPLAYエリア１８Ａの画像データをそのまま残し、OSD表示データの値が０でなければ（OSD表示データが有効な値であれば）、OSDエリア１８ＢのOSD表示データをDISPLAYエリア１８Ａに書き込むといった処理を、DISPLAYエリア１８Ａの全ての画素に対して行うことにより、画像データとOSD表示データとの重ね合わせが完了する。
【００７９】
このように、DRAM１８内に、印刷する画像イメージを作成するため、例えば、記録メディア３３などに、新たに画像ファイルを作成する必要がない。
【００８０】
ステップＳ１５において、コントローラ２１は、ステップＳ１４の処理で、画像データとOSD表示データとが重ね合わせられたデータ（すなわち、画像上にExif情報やヒストグラムなどが重ね合わせられた画面イメージ）をDRAM１８から読み出し、バス１７および外部バス１９を介してプリンタ３に送信し、そのデータの印刷を開始させる。
【００８１】
ここで、印刷実行の形態は特に問わないが、例えば、デジタルスチルカメラ１とプリンタ３が互いにDPS機能を有している場合、DPS定義ファイルを相互に交換することで（ネゴシエーションすることにより）、互いの機器が、DPS機能をサポートした機器であることが認識される。これにより、コントローラ２１は、プリンタ３のDPSサービスを確認するとともに、プリンタ情報などを取得し、印刷を開始させることができる。
【００８２】
以上の処理により、再生画像に関する設定状態情報を合わせ込んだ画像の再生が可能になるとともに、デジタルスチルカメラ１のLCD１６に表示されている、設定状態情報が合わせ込まれた画面イメージそのものを印刷することが可能になる。これにより、ユーザは、撮影時の設定状態情報を容易に確認することができる。
【００８３】
なお、上述のステップＳ１４の処理で、コントローラ２１は、OSD表示データが重ね合わせられた画像データをDRAM１８から読み出し、JPEG方式で圧縮した後、DRAM１８の他のアドレスに格納させるとともに、格納された画像信号にファイルヘッダなどを付加し、JPEGファイルとしてストリームに成形させることにより、画像データとOSD表示データとが重ね合わせられた、JPEGファイルを新たに作成することもできる。
【００８４】
さらに、コントローラ２１は、このJPEGファイルを読み出し、バス１７を介してメディアドライブ２３に挿入された記録メディア３３に転送し、そこに永続的に保存させることもできる。
【００８５】
以上においては、絞り値、シャッタスピード、EV補正値、ISO感度、ストロボ発光、および、測光方式などの撮影時の設定状態情報を示すExif情報や、画像の輝度情報に関するヒストグラムを画像に重ね合わせて印刷するようにしたが、本発明はこれに限らず、例えば、撮影日時、撮影場所名、撮影者名、またはコメントなどの撮影情報を重ね合わせて印刷することも勿論可能である。
【００８６】
また、再生画像に関する情報の表示レイアウト、色、属性、またはフォントタイプなどのデザインを重ね合わせて印刷することも可能であり、見栄えの良いデザインにすることにより、画像印刷を修飾するような場合に適用することも可能である。
【００８７】
また以上においては、再生画像に関する情報を合わせ込んだ画像の再生および印刷を行うようにしたが、再生画像だけでなく、例えば、撮影モード時のモニタリング画像に関する設定状態情報を合わせ込んだ画像の表示および印刷を行うこともできる。この場合の処理について、図９を参照して説明する。
【００８８】
ステップＳ７１において、コントローラ２１は、カメラ信号処理部１３を制御し、CCD１２から入力された電気信号を取り込ませ、Ｙ，Ｃｒ，Ｃｂの色差信号に変換させる。その後、コントローラ２１は、画像信号処理部１４を制御し、変換された画像信号を、バス１７を介してDRAM１８に供給させ、そこに一時的に記憶させる。
【００８９】
ステップＳ７２において、コントローラ２１は、DRAM１８に一時的に記憶されている画像信号を読み出して画格（縦横サイズ）を変更し、再び、DRAM１８のDISPLAYエリア１８Ａに転送し、そこに記憶させる。
【００９０】
ステップＳ７３乃至Ｓ８４の処理は、図５のステップＳ４乃至Ｓ１５の処理と同様であるため、その説明は省略する。
【００９１】
以上の処理により、静止画像ファイルとして記録メディア３３に保存しなくても、設定状態情報や撮影情報などを合わせ込んだモニタリング中の画面イメージを、そのまま印刷することが可能になる。
【００９２】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【００９３】
この記録媒体は、図２に示されるように、装置本体とは別に、ユーザにプログラムを提供するために配布される、プログラムが記録されている磁気ディスク（フレキシブルディスクを含む）、光ディスク（CD-ROM（Compact Disc-Read Only Memory）、DVD(Digital Versatile Disc)を含む）、もしくは光磁気ディスク（MD(Mini-Disc)（登録商標）を含む）などよりなるリムーバブルメディア３２、または、半導体メモリなどよりなる記録メディア３３により構成されるだけでなく、装置本体に予め組み込まれた状態でユーザに提供される、プログラムが記録されているFLASH ROM２４またはハードディスクなどで構成される。
【００９４】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００９５】
また、本明細書において、システムとは、複数の装置により構成される装置全体を表わすものである
【００９６】
【発明の効果】
以上のように、第１の本発明によれば、デジタルスチルカメラで撮影された画像を印刷することが可能となる。特に、画面に表示されている設定状態情報や輝度情報が合わせ込まれた画像をそのまま印刷することが可能となる。
【００９７】
第２の本発明によれば、デジタルスチルカメラで撮影された画像とともに、その画像に関する付随情報を印刷することが可能となる。特に、画面に表示されている設定状態情報や輝度情報が合わせ込まれた画像をプリンタに送信し、その表示状態のまま印刷することが可能となる。
【図面の簡単な説明】
【図１】本発明を適用した自動印刷システムの構成例を示す図である。
【図２】デジタルスチルカメラの電気的構成例を示す図である。
【図３】画像ファイルの形式を示す図である。
【図４】  Exif情報とヒストグラムが重ね合わせられた画像の表示例を示す図である。
【図５】画像の再生および印刷処理を説明するフローチャートである。
【図６】  Exif情報とヒストグラムが画像に重ね合わせられる処理を模式的に示す図である。
【図７】図５のステップＳ１２の重ね合わせ表示処理の詳細を説明するフローチャートである。
【図８】図５のステップＳ１４の重ね合わせ書き込みの詳細を説明するフローチャートである。
【図９】撮影モード時での画像の表示および印刷処理を説明するフローチャートである。
【符号の説明】
１  デジタルスチルカメラ，  ２  バス，  ３  プリンタ，  １４  画像信号処理部，  １８  DRAM，  １９  外部インターフェース，  ２１  コントローラ，  ２２  操作部，  ２３  メディアドライブ，  ２４  FLASH ROM，  ３３  記録メディア
【図１】
0004243956.tif 000002
【図２】
0004243956.tif 000003
【図３】
0004243956.tif 000004
【図４】
0004243956.tif 000005
【図５】
0004243956.tif 000006
【図６】
0004243956.tif 000007
【図７】
0004243956.tif 000008
【図８】
0004243956.tif 000009
【図９】
0004243956.tif 000010